(57)【要約】      （修正有）【課題】乾式と湿式とに兼用可能とし、また使用上も便利な電気掃除機を提供する。【解決手段】電気掃除機の吸込み口１２に、ハウジング１の外側へ開口していて吸引ホース８と連結する第１のポート５１と、ハウジング内の上方寄りに開口している第２のポート５２と、ハウジング内の下方寄りに開口している第３のポート５３とを備えた３方向弁５手段を設け、ハウジング内に水をその水位が第２及び第３のポートの開口間にあるように注入した状態で、３方向弁手段を操作することで、第２のポートによる乾式掃除と、第３のポートによる湿式掃除との２種類のモードに切替え可能とする。【選択図】図３
0003106608.tif 000002
【実用新案登録請求の範囲】
【請求項１】
上面に開口を、また周壁に吸込み口をそれぞれ有するハウジングと、そのハウジングの前記開口を遮蔽するように前記ハウジングに脱着可能に係止されている蓋体と、その蓋体に設けられており、吸引部が前記ハウジング内に延伸していて前記吸込み口から塵埃を前記ハウジング内に吸引することができる電動送風機と、前記吸込み口から電動送風機への吸引経路中に配設されていて前記ハウジング内に吸引された塵埃を濾過するためのフィルター手段とを備えている電気掃除機において、
前記吸込み口に３方向弁手段が設けられており、
この３方向弁手段は、前記ハウジングの外側へ開口していて吸引ホースと連結する第１のポートと、前記ハウジング内の上方寄りに開口している第２のポートと、前記ハウジング内の下方寄りに開口している第３のポートとを備えており、
前記ハウジング内に水をその水位が前記第２及び第３のポートそれぞれの開口の間にあるように注入した状態で、前記３方向弁手段を操作することにより、前記第２のポートによる乾式掃除と、前記第３のポートによる湿式掃除との２種類のモードに切替え可能であることを特徴とする、電気掃除機。
【請求項２】
前記吸込み口が前記ハウジングの周壁の上方寄りのところにあり、
前記３方向弁手段の前記第１のポートと前記第２のポートとが同軸に配置され、且つ、該第２のポートがハウジングの外側方から前記吸込み口に直接連結されていて該吸込み口を介して前記ハウジング内の上方寄りに開口しており、
前記３方向弁手段の前記第３のポートが、前記第１のポートと前記第２のポートとの間から下へ延出し、且つ、その延出部から引き続いて延伸して前記ハウジングの周壁の下方寄りのところからハウジング内に貫通した案内管手段を介して、前記ハウジング内の下方寄りに開口していることを特徴とする、請求項１に記載の電気掃除機。
【請求項３】
前記ハウジングの周壁の下方寄りのところに通孔が開設してあり、
前記案内管手段は、一端が前記３方向弁手段の第３のポートに嵌合している第１の接続管と、その第１の接続管の他端に一端が垂直方向で着脱可能に嵌合されると共に、他端が水平方向で前記通孔を経由して前記ハウジング内と連通しているガイドホースとを有することを特徴とする、請求項２に記載の電気掃除機。
【請求項４】
前記ハウジングの下に、キャスター付きのベースが該ハウジングを下から支持するように設けられており、
前記ベースが環状であり、前記ハウジングの前記通孔を含めた底縁寄りのところが該環状の環内に挿入されており、
また、前記ベースの環状上面に、前記通孔と対応する位置に在って前記ベースの径方向内外に開口する窪みが形成され、前記ガイドホースの水平になった部分が前記窪みに挿入保持されて前記通孔を経由して前記ハウジング内と連通していることを特徴とする、請求項３に記載の電気掃除機。
【請求項５】
前記案内管手段は、更に、前記通孔を貫通するように設けられてその一端が前記ガイドホースの他端と嵌合している第２の接続管と、前記ハウジング内に配設されて前記第２の接続管の他端と一端が水平方向で嵌合される内管とを有しており、
その内管は、９０°のエルボ状に形成されていて、他端が前記第２及び第３のポートそれぞれの開口の間の所定の水位より高いところまで垂直方向に延伸しており、該内管のエルボ状の湾曲部には前記第３のポートの開口が開けてあることを特徴とする、請求項４に記載の電気掃除機。
【考案の詳細な説明】
【技術分野】
【０００１】
本考案は、電気掃除機に関し、特に、乾式掃除と湿式掃除とに兼用することができる電気掃除機に関する。
【背景技術】
【０００２】
電気掃除機は、一般に、乾式掃除機と湿式掃除機との２種類がある。乾式掃除機は、電動送風機により、塵埃を空気と共にその内部に吸引することで、掃除することができる。掃除機が順調に掃除をするために、空気を外部へ排出する必要があるが、一部の塵埃が電動送風機の吸引力により、空気と共に外部へ排出され、被掃除箇所を汚したり、作業員の身体に吸入されたりするという欠点がある。
【０００３】
一方、湿式掃除機は、予めその内部に水を注入しておくので、電動送風機によりその内部に吸引される塵埃が水に混入し、空気と共に外部へ排出されることを避けることができるが、その電動送風機が付いていてかなり重い蓋体を開けた状態で水を掃除機の内部に注入したり、汚水を捨てたりするので、使用上かなり不便であるという欠点がある。
【考案の開示】
【考案が解決しようとする課題】
【０００４】
上記に鑑みて、本考案は、乾式と湿式とに兼用することができ、且つ、使用も便利である電気掃除機を提供しようとすることを目的とする。
【課題を解決するための手段】
【０００５】
前記目的を達成するために、本考案は、上面に開口を、また周壁に吸込み口をそれぞれ有するハウジングと、そのハウジングの前記開口を遮蔽するように前記ハウジングに脱着可能に係止されている蓋体と、その蓋体に設けられており、吸引部が前記ハウジング内に延伸していて前記吸込み口から塵埃を前記ハウジング内に吸引することができる電動送風機と、前記吸込み口から電動送風機への吸引経路中に配設されていて前記ハウジング内に吸引された塵埃を濾過するためのフィルター手段とを備えている電気掃除機において、前記吸込み口に３方向弁手段が設けられており、この３方向弁手段は、前記ハウジングの外側へ開口していて吸引ホースと連結する第１のポートと、前記ハウジング内の上方寄りに開口している第２のポートと、前記ハウジング内の下方寄りに開口している第３のポートとを備えており、前記ハウジング内に水をその水位が前記第２及び第３のポートそれぞれの開口の間にあるように注入した状態で、前記３方向弁手段を操作することにより、前記第２のポートによる乾式掃除と、前記第３のポートによる湿式掃除との２種類のモードに切換え可能であることを特徴とする電気掃除機を提供する。
【考案の効果】
【０００６】
上記構成による本考案の電気掃除機は、前記吸込み口に３方向弁手段が設けられているので、水を水位が前記第２及び第３のポートそれぞれの開口の間にあるようにハウジング内に注入した状態で、前記３方向弁手段を操作することにより、前記第２のポートによる乾式掃除と前記第３のポートによる湿式掃除との２種類のモードに切り換えることができるのみならず、水の注入も前記３方向弁手段を経由して行うことができ、ハウジングの電動送風機が付いていてかなり重い蓋を開けたり閉めたりする必要がない。従って、乾式と湿式とに兼用できるばかりか、使用上の取り扱いも非常に便利である。
【０００７】
また、前記３方向弁手段の第１のポートと第２のポートとが同軸に配置され、且つ、該第２のポートがハウジングの外側方から吸込み口に直接連結されていて該吸込み口を介してハウジング内の上方寄りに開口しており、３方向弁手段の第３のポートが、第１のポートと第２のポートとの間から下へ延出し、且つ、その延出部から引き続いて延伸してハウジングの周壁の下方寄りのところからハウジング内に貫通した案内管手段を介して、ハウジング内の下方寄りに開口していることが好ましい。それにより、前記３方向弁手段の本体が前記ハウジングング内の水の水位より高いので、該３方向弁手段を経由する水の注入に有利である。
【０００８】
また、前記ハウジングの周壁の下方寄りのところに通孔が開設してあり、前記案内管手段は、一端が前記３方向弁手段の第３のポートに嵌合している第１の接続管と、その第１の接続管の他端に一端が垂直方向で着脱可能に嵌合されると共に、他端が水平方向で前記通孔を経由して前記ハウジング内と連通しているガイドホースとを有することが好ましい。それにより、前記水の注入は、前記第１のポートから前記第３のポートを経由して行うことができる他、前記ガイドホースが前記第１の接続管の他端に着脱可能に嵌合しているので、前記ガイドホースを前記第１の接続管の他端から取り外してそれから水を注入することもでき、その上、必要に応じ、そのガイドホースを下げて前記ハウジング内の水を排出することもでき、ハウジングの洗浄にも便利である。
【考案を実施するための最良の形態】
【０００９】
以下、図面を参照しながら、本考案の好ましい実施形態を説明する。
【００１０】
図１は本考案の電気掃除機の実施形態を示す斜視図である。図２は本考案の電気掃除機の実施形態を示す分解図である。図３は前記実施形態における第２のポートによる乾式掃除を行っている状態を示す断面図である。図４は、前記実施形態における第３のポートによる湿式掃除を行っている状態を示す断面図である。図５は前記実施形態におけるガイドホースから、汚れ水を捨てている状態を示す斜視図である。図６は前記実施形態におけるガイドホース管と第１の接続管との嵌合状態を示す部分断面図である。
【００１１】
図１及び図２に示すように、本実施形態の電気掃除機は、主として、ハウジング１と、蓋体２と、電動送風機３と、フィルター手段４と、３方向弁５と、案内管手段６と、ベース７とを備えている。
【００１２】
前記ハウジング１は、その周壁１１の上方寄りのところに吸込み口１２が形成してあり、且つ上方へ開口している。前記ハウジング１の周壁１１の下方寄りのところに通孔１３が開設してある。
【００１３】
前記蓋体２は、前記ハウジング１の開口を遮蔽するように脱着可能に前記ハウジング１に係止されている。前記蓋体２に複数の排気孔２１が形成されている。
【００１４】
前記電動送風機３は図３に示すように、前記蓋体２に設けられ且つ前記蓋体２内に内蔵されているモータ３１（図示のは放熱ファン付きモータ）と、その吸引部としての羽根車３２とから構成される。その羽根車３２は、前記モータ３１の出力端に設けられていると共に、前記ハウジング１内に延伸していて前記モータ３１に駆動され回転し、前記吸込み口１２から塵埃を前記ハウジング１内に吸引することができる。
【００１５】
また、前記フィルター手段４は、前記吸込み口１２から電動送風機３への吸引経路中に配設されていて前記ハウジング１内に吸引された塵埃を濾過するためのものである。また、前記３方向弁手段５は前記吸込み口１２に設けられている。
【００１６】
本実施形態において、前記３方向弁手段５としては３方ボールバルブが使用されている。この３方向弁手段は、前記ハウジング１の外側へ開口していて吸引ホース８と連結する第１のポート５１と、前記ハウジング１内の上方寄りに開口している第２のポート５２と、前記ハウジング１内の下方寄りに開口している第３のポート５３と、前記第２のポート５２による乾式掃除と前記第３のポート５３による湿式掃除との２種類のモードに切り換える切替え部材としての切替えレバー５４とを備えている。
【００１７】
本実施形態において、前記３方向弁手段５の前記第１のポート５１と前記第２のポート５２とが同軸に配置され、且つ、該第２のポート５２が外側方（水平方向）から前記吸込み口１２と直接連結されていて該吸込み口１２を介して前記ハウジング１内の上方寄りに開口している。前記３方向弁手段５の前記第３のポート５３が、前記第１のポート５１と前記第２のポート５２との間から下へ延出し、且つ、その延出部から引き続いて延伸して前記ハウジング１の周壁１１の下方寄りのところからハウジング１内に貫通した前記案内管手段６を介して、前記ハウジング１内の下方寄りに開口している。
【００１８】
前記案内管手段６は、第１の接続管６１と、ガイドホース６２と、第２の接続管６３と、内管６４とから構成されている。
【００１９】
前記第１の接続管６１は両端６１１，６１２を有し、その一端６１１が前記３方向弁手段５の第３のポート５３に嵌合している。前記ガイドホース６２は、その一端６２１が垂直の方向で前記第１の接続管６１に没入可能に設けられている突環６１３によって前記第１の接続管６１の他端６１２に着脱可能に嵌合し、他端６２２が水平の方向で前記通孔１３を経由して前記ハウジング１内と連通している。前記第２の接続管６３は、前記通孔１３を貫通するように設けられてその一端６３１が前記ガイドホース６２の他端６２２と嵌合している。前記内管６４は、両端が開口した９０°のエルボ状であり、且つ前記ハウジング１内に配設されてその一端６４１が水平の方向で前記第２の接続管６３の他端６３２と嵌合し、他端６４２が垂直の方向に昇って前記第２及び第３のポート５２，５３それぞれの開口の間の所定水位より高いところまで延伸している。そして、該内管６４のエルボ状の湾曲部には前記第３のポート５３の開口５３１が開けてある。
【００２０】
また、前記ハウジング１の下に、キャスタ７１ーの付いているベース７が該ハウジング１を下から支持するように設けられている。前記ベース７が環状であり、前記ハウジング１の前記通孔１３を含めた底縁寄りのところが該環状の環内に挿入されている。
【００２１】
また、前記ベース７の環状上面に、それぞれ前記ベース７の環状の内外に開口し、且つ、前記通孔１３とほぼ一線になった窪み７２が形成され、前記ガイドホース６２の水平になった部分が前記窪み７２に挿入保持されて前記通孔１３を経由して前記ハウジング１内と連通している。
【００２２】
図３に示すように、乾式掃除を行う場合、前記切替えレバー５４で乾式掃除モードに切り替えることにより、前記第１のポート５１と、前記第２のポート５２とを連通させて、前記ブレード３２によって塵埃を前記第１のポート５１、前記吸込み口１２及び前記第２のポートを経由して前記フィルター手段（４）内に吸入して濾過してから、前記ハウジング１の底部に貯めることができる。また、前記ハウジング１内に水が注入された状態（図４参照）においても、この乾式掃除を行うことができる。
【００２３】
一方、湿式掃除を行う場合、図４に示すように、前記ハウジング１内に水をその水位が前記第２及び第３のポート５２，５３それぞれの開口の間にあるように注入しておいた状態で、前記切替えレバー５４で湿式掃除モードに切り替えることにより、前記第１のポート５１と、前記第３のポート５３とを連通させて、前記羽根車３２によって塵埃を前記第１のポート５１、前記吸込み口１２、前記第３のポート５３及びガイドホース６２を経由して塵埃の一部が前記第３のポート５３の開口５３１から水に混入しながら、他の一部が前記内管６４の他端６４２から噴出して水に混入することができる。
【００２４】
そして、前記ハウジング１を洗浄する時に、図５及び図６に示すように、前記突環６１３を押圧して前記第１の接続管６１に没入することにより、前記ガイドホース６２の前記一端６２１を前記第１の接続管６１から脱出させてから、下へ向かうようにほうっておいて前記ハウジング１内の塵埃を含めた汚れ水を排出することができる。
【００２５】
上述した説明から分かるように、前記吸込み口に３方向弁手段５が設けられているので、水を水位が前記第２及び第３のポート５２，５３それぞれの開口の間にあるようにハウジング１内に注入した状態で、前記３方向弁手段５を操作することにより、前記第２のポート５２による乾式掃除と前記第３のポート５３による湿式掃除との２種類のモードに切り換えることができるのみならず、水の注入も前記３方向弁手段５を経由して行うことができ、ハウジング１の電動送風機３が付いていてかなり重い蓋体２を開けたり閉めたりする必要がない。従って、乾式と湿式とに兼用することができる上、使用も非常に便利である。
【００２６】
また、前記ガイドホース６２が脱着可能に前記第１の接続管６１に嵌合しているので、前記ガイドホース６２を前記第１の接続管６１の他端６１２から取り外してそれから水を注入することもでき、おまけに、必要に応じ、それを下げて前記ハウジング１内の水を排出することもでき、ハウジング１の洗浄にも便利である。
【図面の簡単な説明】
【００２７】
【図１】本考案の電気掃除機の実施形態を示す斜視図
【図２】本考案の電気掃除機の実施形態を示す分解図
【図３】前記実施形態における第２のポートによる乾式掃除を行った状態を示す断面図
【図４】前記実施形態における第２のポートによる乾式掃除を行った状態を示す断面図
【図５】前記実施形態におけるガイドホースから、汚れ水を捨てる状態を示す斜視図
【図６】前記実施形態におけるガイドホースと第１の接続管との嵌合状態を示す部分断面図
【符号の説明】
【００２８】
１      ハウジング
１１        周壁
１２        吸込み口
１３        通孔
２      蓋体
２１        排気孔
３      電動送風機
３１        モータ
３２        ブレード
４      フィルター手段
５      ３方向弁
５１        第１のポート
５２        第２のポート
５３        第３のポート
５３１  開口
５４        切替えレバー（切替え部材）
６      案内管手段
６１        第１の接続管
６１１  一端
６１２  他端
６１３  突環
６２        ガイドホース
６２１  一端
６２２  他端
６３        第２の接続管
６３１  一端
６３２  他端
６４        内管
６４１  一端
６４２  他端
７      ベース
７１        キャスター
７２        窪み
８      吸引ホース
【図１】
0003106608.tif 000003
【図２】
0003106608.tif 000004
【図３】
0003106608.tif 000005
【図４】
0003106608.tif 000006
【図５】
0003106608.tif 000007
【図６】
0003106608.tif 000008